(57)【要約】【課題】室外機、室内機及びリモコン装置によって構成される空気調和機の待機電力をさらに低減する。【解決手段】室外機１、室内機２及びリモコン装置３によって構成される空気調和機において、リモコン装置３の空調運転開始操作等によって閉じるスイッチ３３を当該リモコン装置３内に設ける。そして、室内機２の電源回路２０へ給電するための電路Ｌ１を、室内機２からリモコン装置３に引き込み、かつ、当該スイッチ３３を介して室内機２に戻り、当該電源回路２０に至るように構成した起動用迂回電路Ｌｂを備えた空気調和機とする。リモコン装置３のスイッチ３３が開いているときは、室内機２の電源回路２０に給電されないので、室内機２は電力消費の無い空調運転停止状態となる。【選択図】図１
2012026651.tif 000002
【特許請求の範囲】
【請求項１】
室外機（１）と、
前記室外機（１）と共通の電源ライン（Ｌ１，Ｌ２）が引き込まれ、前記室外機（１）の電源回路（１０）への給電を遮断する機能を有する室内機（２）と、
前記室内機（２）と通信可能であり、リモコン操作と連動して閉路可能なスイッチ（３３，３６ａ）を有するリモコン装置（３）と、
前記室内機（２）の電源回路（２０）へ給電するための電路（Ｌ１）を、前記室内機（２）から前記リモコン装置（３）に引き込み、かつ、前記スイッチ（３３，３６ａ）を介して前記室内機（２）に戻り、当該電源回路（２０）に至るように構成した起動用迂回電路（Ｌｂ）と
を備えていることを特徴とする空気調和機。
【請求項２】
前記スイッチ（３３）は、空調運転開始操作を含む運転操作によって閉じるものである請求項１記載の空気調和機。
【請求項３】
前記室内機（２）は、自己の電源回路（２０）に前記スイッチ（３３，３６ａ）を介して給電が行われることによって、当該室内機（２）の内部で別系統の給電を実現する制御回路を備えており、
前記リモコン装置（３）は、前記スイッチ（３３，３６ａ）を閉じてから所定時間が経過すると、前記スイッチ（３３，３６ａ）を開く、請求項１記載の空気調和機。
【請求項４】
前記リモコン装置（３）は、据付場所に固定されるホルダ（３ｈ）と、当該ホルダに着脱可能なリモコン本体（３ｍ）とによって構成され、
前記リモコン本体（３ｍ）が前記ホルダ（３ｈ）に装着された状態では開き、かつ、前記リモコン本体（３ｍ）を前記ホルダ（３ｈ）から取り外すことにより前記スイッチ（３３，３６ａ）を短絡する接点が前記リモコン装置（３）に設けられている請求項１〜３のいずれか１項に記載の空気調和機。
【請求項５】
前記スイッチ（３３，３６ａ）は、前記起動用迂回電路（Ｌｂ）に介挿されるものであって、前記リモコン本体（３ｍ）に設けられている請求項４記載の空気調和機。
【請求項６】
前記スイッチは、前記リモコン本体（３ｍ）に設けられた補助スイッチ（３３）と、前記ホルダ（３ｈ）に設けられ前記起動用迂回電路に介挿される主スイッチ（３６ａ）とによって構成され、
前記リモコン本体（３ｍ）が前記ホルダ（３ｈ）に装着された状態で、前記補助スイッチ（３３）が閉じることにより、前記主スイッチ（３６ａ）が閉じる請求項４記載の空気調和機。
【請求項７】
室外機（１）と室内機（２）とを含む空気調和機における、当該室内機（２）との通信用のリモコン装置（３）であって、
リモコン操作と連動して閉路可能なスイッチ（３３，３６ａ）を有し、
前記スイッチ（３３，３６ａ）と、前記室内機（２）の電源回路（２０）へ給電するための電路（Ｌ１）から前記スイッチ（３３，３６ａ）の一端に至る電路と、前記スイッチ（３３，３６ａ）の他端から前記室内機（２）の電源回路（２０）に至る電路とによって、前記室内機（２）の起動用迂回電路（Ｌｂ）を構成することを特徴とするリモコン装置。
【請求項８】
前記室内機（２）と無線通信するための通信部（３２）を備えている請求項７記載のリモコン装置。
【発明の詳細な説明】
【技術分野】
【０００１】
本発明は、室外機、室内機、及び、遠隔操作用のリモコン装置によって構成される空気調和機に関する。
【背景技術】
【０００２】
近年、省エネルギーの要請から、空気調和機においても待機電力の低減が課題となっている。そのため、空調運転停止中は、室外機への給電を遮断し、室内機のみを待機状態とする制御技術が提案されている（例えば、特許文献１参照。）。室内機は、リモコン装置からの運転指令をいつでも受け付けることができるように、電源回路や制御回路において一定の小電力を消費しながら、待機している。
【先行技術文献】
【特許文献】
【０００３】
【特許文献１】特開２０００−１１１１２３号公報（段落［００６２］）
【発明の概要】
【発明が解決しようとする課題】
【０００４】
上記のような従来の空気調和機において、室外機については、給電の遮断により待機電力を節約することができる。しかしながら、室内機については依然として待機電力が消費される。
かかる従来の問題点に鑑み、本発明は、室外機、室内機及びリモコン装置によって構成される空気調和機の待機電力をさらに低減することを目的とする。
【課題を解決するための手段】
【０００５】
（１）本発明の空気調和機は、室外機と、前記室外機と共通の電源ラインが引き込まれ、前記室外機の電源回路への給電を遮断する機能を有する室内機と、前記室内機と通信可能であり、リモコン操作と連動して閉路可能なスイッチを有するリモコン装置と、前記室内機の電源回路へ給電するための電路を、前記室内機から前記リモコン装置に引き込み、かつ、前記スイッチを介して前記室内機に戻り、当該電源回路に至るように構成した起動用迂回電路とを備えている。
【０００６】
上記のように構成された空気調和機では、リモコン装置のスイッチが閉じているときは、室内機の電源回路に給電され、これにより室外機にも給電される。逆に、リモコン装置のスイッチが開いているときは、室内機の電源回路に給電されない。これにより、室内機は電力消費の無い空調運転停止状態となり、また、室外機も同様に、室内機の機能により電源回路への給電を遮断して電力消費の無い空調運転停止状態とすることができる。従って、室外機及び室内機は共に待機電力を一切消費せず、唯一リモコン装置のみが、リモコン操作を受け付けるための微小な待機電力を消費している状態となる。
【０００７】
（２）また、上記空気調和機において、スイッチは、空調運転開始操作を含む運転操作によって閉じるものであってもよい。
この場合、例えばリモコン装置の空調運転開始操作によってスイッチが閉じると、室内機が起動可能となり、かつ、空調運転が開始される。すなわち、空調運転開始操作という１つの操作で室内機への給電開始と空調運転開始とが行われるので、予め給電開始して待機する必要が無く、室内機における待機電力の無駄が無い。但し、空調運転開始操作以外の運転操作によってスイッチを閉じるようにしてもよい。例えば、冷房／暖房／除湿等の運転切替操作を、空調運転開始操作より先に行った場合にもスイッチが閉じて室内機の電源回路に給電されるようにすれば、室内機は、空調運転開始操作前であっても、当該運転切替操作を受け付けることができる。
【０００８】
（３）また、上記（１）の空気調和機において、室内機は、自己の電源回路にスイッチを介して給電が行われることによって、当該室内機の内部で別系統の給電を実現する制御回路を備えており、リモコン装置は、スイッチを閉じてから所定時間が経過すると、スイッチを開くようにしてもよい。
この場合、リモコン装置がスイッチを閉じているのは所定時間だけであり、所定時間経過後はスイッチが開いている。すなわち、スイッチに室内機の消費電流が流れるのは所定時間内であるので、当該消費電流が長時間流れ続けることによって起動用迂回電路における電力損失やリモコン装置における発熱が多くなる、という不都合は回避される。
【０００９】
（４）また、上記（１）〜（３）のいずれかの空気調和機において、リモコン装置は、据付場所に固定されるホルダと、当該ホルダに着脱可能なリモコン本体とによって構成され、リモコン本体がホルダに装着された状態では開き、かつ、リモコン本体をホルダから取り外すことによりスイッチを短絡する接点が、リモコン装置に設けられている構造であってもよい。
この場合、接点は、リモコン本体がホルダに装着された状態では開いているので、電気的には意味を成さず、スイッチの開閉状態をそのまま生かす形となる。すなわち、スイッチが開いていると、室内機及び室外機の電力消費は無しの状態となる。一方、リモコン本体がホルダから取り外された状態では、閉じた接点を介して室内機の電源回路に給電される。従って、リモコン本体がホルダから取り外された状態からでも、リモコン操作により、室内機（及び室外機）を起動させることができる。但し、この場合は、室内機が一定の待機電力を消費する。
【００１０】
（５）また、上記（４）の空気調和機において、スイッチは、起動用迂回電路に介挿されるものであって、リモコン本体に設けられているものであってもよい。
この場合、スイッチがリモコン本体内にあるので、リモコン本体内の制御回路によって容易に開閉制御を行うことができ、そのための回路構成も簡素である。
【００１１】
（６）また、上記（４）の空気調和機において、スイッチは、リモコン本体に設けられた補助スイッチと、ホルダに設けられ起動用迂回電路に介挿される主スイッチとによって構成され、リモコン本体がホルダに装着された状態で、補助スイッチが閉じることにより、主スイッチが閉じるようにしてもよい。
この場合、ホルダ側の主スイッチと、リモコン本体側の補助スイッチとの間で、電圧の絶縁が可能となる利点がある。すなわち、主スイッチは商用交流の電源電圧が印加されるので、感電防止のため容易に触れ得ないように隠蔽する必要があるが、ホルダ内に設けることにより、隠蔽を容易に実現することができる。一方、補助スイッチは、低電圧仕様とすることができるので、より安全である。また、補助スイッチは、低電圧・低電流の定格で足りるので、コンパクトであり、限られた筐体寸法のリモコン本体への収容が容易である。
【００１２】
（７）一方、本発明は、室外機と室内機とを含む空気調和機における、当該室内機との通信用のリモコン装置であって、リモコン操作と連動して開閉可能なスイッチを有し、前記スイッチと、前記室内機の電源回路へ給電するための電路から前記スイッチの一端に至る電路と、前記スイッチの他端から前記室内機の電源回路に至る電路とによって、前記室内機の起動用迂回電路を構成するものである。
【００１３】
上記のように構成されたリモコン装置では、リモコン装置のスイッチが閉じているときは、室内機の電源回路に給電され、これにより室外機にも給電可能となる。逆に、リモコン装置のスイッチが開いているときは、室内機の電源回路に給電されない。これにより、室内機は電力消費の無い空調運転停止状態となる。従って、室内機からの遮断により、室外機も同様に電力消費の無い空調運転停止状態とすれば、室外機及び室内機は共に待機電力を一切消費せず、唯一リモコン装置のみが、リモコン操作を受け付けるための微小な待機電力を消費している状態となる。
【００１４】
（８）また、上記（７）のリモコン装置においては、室内機と無線通信するための通信部を備えていることが好ましい。
このようなリモコン装置を、既設の有線通信によるリモコン装置に代えて使用することにより、不要になった有線通信用のケーブルを起動用迂回電路に転用することができる（但し、起動用迂回電路としての電圧・電流に、ケーブルが耐え得ることを条件とする。）。従って、リモコン装置と室内機との間に新たにケーブルを設置しなくても、既存のケーブルを利用して容易に、室内機の待機電力を無くす空気調和機に取り替えることができる。
【発明の効果】
【００１５】
本発明の空気調和機及びリモコン装置によれば、空気調和機全体としての待機電力をさらに低減して、極めて小さな電力に抑制することができる。
【図面の簡単な説明】
【００１６】
【図１】本発明の第１実施形態に係る空気調和機（室外機、室内機、リモコン装置）の、主として電源接続に関する接続図である。
【図２】図１の状態から起動して空調運転状態となった空気調和機における、スイッチや各リレー接点の開閉状態を示す接続図である。
【図３】本発明の第２実施形態に係る空気調和機の、主として電源接続に関する接続図であり、また、リモコン装置に関してはその構造の概要をも示している。
【図４】メカニカル接点について、その概略構成の一例を示す断面図であり、（ａ）はリモコン本体をホルダから取り外した状態を示し、（ｂ）は装着した状態を示している。
【図５】本発明の第３実施形態に係る空気調和機の、主として電源接続に関する接続図であり、また、リモコン装置に関してはその構造の概要をも示している。
【図６】（ａ）は、図５のリモコン装置のみを示す図であり、（ｂ）は、リモコン本体をホルダから外した状態を示す図である。
【図７】図１における室内機の通信回路に接続されたリレー接点を省略した他の構成例を示す接続図である。
【発明を実施するための形態】
【００１７】
《第１実施形態》
図１は、本発明の第１実施形態に係る空気調和機（室外機１、室内機２、リモコン装置３）の、主として電源接続に関する接続図である。図において、室外機１は、商用電源Ｐｓから交流電圧（例えば２００Ｖ）を受電する。この交流電圧は、電源ラインＬ１，Ｌ２間に印加されている。室外機１は、この交流電圧からマイクロコンピュータ等の電子デバイスに必要な電圧を作り出す電源回路１０と、マイクロコンピュータを含む制御回路１１と、室内機２と通信を行うための通信回路１２とを備えている。
【００１８】
リレー接点１４，１５，１６（コイルは図示省略）は、制御回路１１によって開閉制御される。電源回路１０には、突入電流を抑制するための抵抗１７が接続されている。また、室外機１は、室内機２との接続用の端子台１ｔを備えている。室外機１内の上記各部は、図示のように接続されている。
なお、制御回路１１と通信回路１２とは、相互に信号の受け渡しを行うことができる。また、制御回路１１は、図示しない圧縮機やファン等の、室外機１の運転制御を行う。
【００１９】
次に、室内機２は、自己の端子台２ｔ２と室外機１の端子台１ｔとの間を、２本の電源ラインＬ１，Ｌ２及び通信線Ｌｓを含むケーブルＣ１で接続することにより、室外機１と接続されている。すなわち、室内機２には、室外機１と共通の電源ラインＬ１，Ｌ２が引き込まれている。室内機２は、交流電圧からマイクロコンピュータ等の電子デバイスに必要な電圧を作り出す電源回路２０と、マイクロコンピュータを含む制御回路２１と、室外機１と通信を行うための通信回路２２と、リモコン装置３と無線通信を行うための通信部２３及びアンテナ２３ａとを備えている。
【００２０】
リレー接点２４，２５，２６（コイルは図示省略）は、制御回路２１によって開閉制御される。電源回路２０には、突入電流を抑制するための抵抗２９が接続されている。また、室内機２は、リモコン装置３との接続用の端子台２ｔ１を備えている。室内機２内の上記各部は、図示のように接続されている。
なお、制御回路２１と、通信回路２２及び通信部２３とは、相互に信号の受け渡しを行うことができる。また、制御回路２１は、室内機２の運転制御を行う。
【００２１】
一方、リモコン装置３は、バッテリ（図示せず。）に基づく電源電路３０に接続された制御回路３１並びに通信部３２及びアンテナ３２ａを備えている。スイッチ３３は、例えばリレー接点（コイルは図示省略）であり、制御回路３１によって開閉制御される。なお、スイッチ３３がリレー接点によって構成されるのは単に一例に過ぎず、他にも、例えば半導体スイッチング素子を用いたスイッチであってもよい（後述の他の実施形態でも同様である。）。
【００２２】
リモコン装置３は、室内機２との接続用の端子部３ｔを備えている。この端子部３ｔと、室内機２の端子台２ｔ１との間をケーブルＣ２で接続することにより、室内機２の電源回路２０へ給電するための電路すなわち電源ラインＬ１を、室内機２の端子台２ｔ１からリモコン装置３に引き込み、かつ、スイッチ３３を介して室内機２に戻り、電源回路２０に至る、起動用迂回電路Ｌｂが構成される。すなわち、この起動用迂回電路Ｌｂは、室内機２の端子台２ｔ１上の２端子を短絡せずに、外部へ引き出してリモコン装置３のスイッチ３３を経由させたものである。また、この起動用迂回電路Ｌｂは、ケーブルＣ２も含めて、リモコン装置３の一部或いは付属物と考えることもできる。
【００２３】
次に、上記のように構成された空気調和機の起動／停止に関しての、電源供給の動作について説明する。
空調運転停止時は、スイッチ３３や各リレー接点１４〜１６，２４〜２６の開閉状態が、図示のとおりの状態にある。すなわち、スイッチ３３は開いており、起動用迂回電路Ｌｂを介して室内機２の電源回路２０に商用電源Ｐｓの交流電圧を供給することはできない。また、リレー接点２４が開いており、電源ラインＬ１から直接、電源回路２０に電圧を供給することもできない。通信回路２２も同様に、電源ラインＬ１から遮断されている。室外機１においては、リレー接点１４及び１５が開いていることにより、電源回路１０及び通信回路１２は共に、電源ラインＬ１から遮断されている。
【００２４】
従って、室外機１及び室内機２は共に、電力を全く消費しない状態で、空調運転を停止している。すなわち、室外機１及び室内機２の待機電力は０である。一方、リモコン装置３は、内蔵するバッテリにより、制御回路３１や通信部３２が指令を待つ待機状態にある。従って、バッテリは電力を消費しているが、その程度は極めて微小である。このようにして、空調運転停止状態にある空気調和機においては、商用電源の電力消費は「無し」であり、リモコン装置３のバッテリが極めて微小な待機電力を消費している状態である。例えば、室内機２の電源回路２０が待機電力を消費すると、リモコン装置３のバッテリの待機電力と合わせて、空気調和機全体として２Ｗ程度の待機電力となるが、上記のように室内機２の待機電力を０とすることで、空気調和機全体としての待機電力は、約０．４Ｗ程度と、大幅に低減される。
【００２５】
次に、図１の状態からリモコン装置３がオン操作（空調運転開始操作）されると、制御回路３１はスイッチ３３を閉じる。これにより、室内機２内の電源ラインＬ１から起動用迂回電路Ｌｂを介して電源回路２０につながる電路が形成され、電源回路２０には交流電圧が印加される。なお、このとき、抵抗２９が電源回路２０への突入電流を抑制する。電源回路２０に交流電圧が印加されると、電源回路２０から制御回路２１に所定の電圧（例えばＤＣ５Ｖ）が供給され、制御回路２１が起動する。起動した制御回路２１は、まず、リレー接点２４を閉じる。
【００２６】
リレー接点２４が閉じることにより、電源ラインＬ１から直接、電源回路２０に電圧を供給する回路が形成され、起動用迂回電路Ｌｂとは別系統の給電が実現される。ここで、電源回路２０は既に起動しているので、大電流が突入することはない。また、リレー接点２４の閉路によりその両端の電位差がほぼ０となるので、抵抗２９が直列に入っている起動用迂回電路Ｌｂにはほとんど電流が流れなくなる。リモコン装置３の制御回路３１は、その後、スイッチ３３を開く。スイッチ３３を閉じている時間は、スイッチ３３を閉じてからリレー接点２４が閉じるまでに要する時間よりも長く設定される。
【００２７】
このような制御により、スイッチ３３が閉じることにより形成される起動用迂回電路Ｌｂに電流が流れる時間は、ごく短時間になる。言い換えれば、スイッチ３３に室内機２の消費電流が長時間流れ続けることはない。従って、起動用迂回電路Ｌｂにおける電力損失やリモコン装置３における発熱が多くなる、という不都合は回避される。
【００２８】
続いて、室内機２の制御回路２１は、リレー接点２６をオン（図示状態と逆の位置）にする。これにより、室内機２の電源ラインＬ１が、通信線Ｌｓ、室外機１のリレー接点１６（図示のままの状態）及び抵抗１７を介して、室外機１の電源回路１０につながる電路が形成され、電源回路１０には交流電圧が印加される。なお、このとき、抵抗１７が電源回路１０への突入電流を抑制する。電源回路１０に交流電圧が印加されると、電源回路１０から制御回路１１に所定の電圧（例えばＤＣ５Ｖ）が供給され、制御回路１１が起動する。起動した制御回路１１は、まず、リレー接点１４を閉じる。
【００２９】
リレー接点１４が閉じることにより、電源ラインＬ１から電源回路１０に電圧が供給される。電源回路１０は既に起動しているので、大電流が突入することはない。また、リレー接点１４の閉路によりその両端の電位差がほぼ０となるので、抵抗１７が直列に入っている通信線Ｌｓにはほとんど電流が流れなくなる。室内機２の制御回路２１は、その後、リレー接点２６をオフにする（図示状態に戻る。）。リレー接点２６をオンにしている時間は、リレー接点１４が閉じるまでに要する時間よりも長く設定される。
【００３０】
その後、室外機１の制御回路１１は、リレー接点１６をオン（図示状態と逆の位置）にして２つの通信回路１２，２２を通信線Ｌｓを介して互いに接続する。また、室外機１の制御回路１１はリレー接点１５を閉じ、室内機２の制御回路２１はリレー接点２５を閉じる。これにより、２つの通信回路１２，２２に交流電圧が付与され、互いに通信が可能な状態となる。リモコン装置３のオン操作と共に無線送信されてきた運転に関する情報は、室内機２の通信部２３を介して制御回路２１に届く。また、これによって必要となる制御の情報は、２つの通信回路１２，２２間での通信によって室外機１の制御回路１１にも届く。
【００３１】
図２は、図１の状態から、上記のように起動して空調運転状態となった空気調和機における、スイッチ３３や各リレー接点１４〜１６，２４〜２６の開閉状態を示す接続図である。この状態では、前述のように、リモコン装置３のスイッチ３３は既に開いており、起動用迂回電路Ｌｂに電流は流れていない。室外機１及び室内機２はそれぞれ、自己の筐体内部に引き込まれている電源ラインＬ１，Ｌ２から給電されている状態である。
【００３２】
図２の状態からリモコン装置３においてオフ操作（空調運転停止操作）が行われると、オフ操作信号は無線通信により室内機２に伝送される。室内機２は室外機１に停止指令を出力し、室外機１は圧縮機等を停止させる。また、室内機２自身も運転を停止する。そして、各接点（１４〜１６，２４，２５）が図１に示す接点状態に戻ることによって、室外機１及び室内機２の内部の各回路は電源ラインＬ１から切り離され、給電停止となる。従って、リモコン装置３のスイッチ３３が再び閉じられるまで、室外機１及び室内機２は、待機電力を消費することなく、空調運転停止状態となる。
【００３３】
以上のように、上記の空気調和機では、リモコン装置３のスイッチ３３が閉じているときは、室内機２の電源回路２０に給電され、これにより室外機１にも給電される。
逆に、リモコン装置３のスイッチ３３が開いているときは、室内機２の電源回路２０に給電されない。これにより、室内機２は電力消費の無い空調運転停止状態となり、また、室外機１も同様に電力消費の無い空調運転停止状態となる。従って、室外機１及び室内機２は共に待機電力を一切消費せず、唯一リモコン装置３のみが、リモコン操作を受け付けるための微小な待機電力を消費している状態となる。こうして、空気調和機全体としての待機電力を、極めて小さな電力に抑制することができる。
【００３４】
なお、上記実施形態において、リモコン装置３のスイッチ３は、オン操作（空調運転開始操作）によって閉じるものとした。この場合、スイッチ３が閉じると、室内機２が起動可能となり、かつ、空調運転が開始される。すなわち、オン操作という１つの操作で室内機２への給電開始と空調運転開始とが行われるので、予め給電開始して待機する必要が無く、室内機２における待機電力の無駄が無い。
【００３５】
《第２実施形態》
図３は、本発明の第２実施形態に係る空気調和機の、主として電源接続に関する接続図であり、また、リモコン装置３に関してはその構造の概要をも示している。室外機１及び室内機２に関しては、図１と同一の構成であり、図１との違いは、リモコン装置３の構成にある。すなわち、図において、リモコン装置３は、リモコン本体３ｍとホルダ３ｈとによって構成されており、ホルダ３ｈは壁面等に固定されるが、リモコン本体３ｍは、ホルダ３ｈに対して着脱が可能である。なお、制御回路３１、通信部３２及びスイッチ３３が設けられている点は、第１実施形態と同様である。
【００３６】
図３に示す状態では、リモコン本体３ｍがホルダ３ｈに取り付けられている。リモコン本体３ｍがホルダ３ｈに取り付けられていることによって、メカニカル接点３４（上下）は閉じている。従って、この状態では、リモコン装置３の回路は第１実施形態（図１，２）と実質的に等価であり、同様の要領で起動／停止が行われる。
【００３７】
図４は、上記のメカニカル接点３４について、その概略構成の一例を示す断面図であり、（ａ）はリモコン本体３ｍをホルダ３ｈから取り外した状態を示し、（ｂ）は装着した状態を示している。リモコン本体３ｍ及びホルダ３ｈ共に、導電部以外は基本的に樹脂等の絶縁物で構成されている。（ａ）において、図３に示したメカニカル接点３４は、リモコン本体３ｍの背面側に設けられている一対の導電部３４ａと、ホルダ３ｈ側に設けられている一対の接続片３４ｂとによって構成されている。リモコン本体３ｍの背面側には装着時のガイドとなる枠部３ｍ１が設けられ、その中に、絶縁部３ｍ２を挟む一対の導電部３４ａが設けられている。一対の導電部３４ａの各々は、スイッチ３３の両端と接続されている。
【００３８】
一方、一対の接続片３４ｂは、弾性を有する例えば銅板で形成され、（ａ）の状態では一対の接続片３４ｂが弾性によって互いに圧接している。従って、この状態では起動用迂回電路Ｌｂの端部は短絡している。接続片３４ｂの前方には、例えば保護カバー３ｈ２が設けられ、接続片３４ｂに誤って指等が触れることのないように構成されている。
【００３９】
リモコン本体３ｍがホルダ３ｈに装着されると、図４の（ｂ）に示すように、上下両面に導電部３４ｂを備えた絶縁部３ｍ１が一対の接続片３４ｂを押し開くように入り込む。これにより、上の接続片３４ｂが上の導電部３４ａに、下の接続片３４ｂは下の導電部３４ａに、それぞれ接触した状態となり、図３に示すメカニカル接点３４の状態となる。従って、この状態では、第１実施形態と同様に、室内機２及び室外機１を、リモコン装置３のオン操作によって起動し、オフ操作でリモコン装置３のみを待機状態とすることができる。また、スイッチ３３がリモコン本体３ｍ内にあるので、リモコン本体３ｍ内の制御回路３１によって容易に開閉制御を行うことができ、そのための回路構成も簡素である。
【００４０】
一方、リモコン本体３ｍがホルダ３ｈから外されると、図４の（ａ）に示すように、一対の接続辺３４ｂが互いに短絡した状態となるので、リモコン本体３ｍのスイッチ３３は起動用迂回電路Ｌｂと関係なくなり、図３における室内機２の端子台２ｔ１の２端子が短絡された状態となる。従って、室内機２の電源回路２０等は起動し、リモコン装置３からの指示を待つ待機状態となる。このとき、室外機２は一定の待機電力を消費する。なお、室内機２の制御回路２１は、リモコン装置３からオン操作があるまで、リレー接点２６を動作させない。従って、室外機１は待機状態にならず、電源ラインＬ１から遮断されたままである。リモコン装置３からオン操作があれば、リレー接点２６が反転し、室外機１が起動する。
【００４１】
上記第２実施形態に係る空気調和機によれば、リモコン本体３ｍを外した状態では室内機２の待機電力を無くすることはできない。しかしながら、起動用迂回電路Ｌｂをリモコン装置３に引き込んだ構成でありながら、リモコン本体３ｍを外した状態でも、確実に室内機２及び室外機１を動作させることができる。
【００４２】
《第３実施形態》
図５は、本発明の第３実施形態に係る空気調和機の、主として電源接続に関する接続図である。また、リモコン装置３に関してはその構造の概要をも示している。室外機１及び室内機２に関しては、図１と同一の構成であり、図１との違いは、リモコン装置３の構成にある。すなわち、図において、リモコン装置３は、リモコン本体３ｍとホルダ３ｈとによって構成されており、ホルダ３ｈは壁面等に固定されるが、リモコン本体３ｍは、ホルダ３ｈに対して着脱が可能である。
なお、制御回路３１及び通信部３２が設けられている点は、第１実施形態と同様であるが、それ以外は、第１実施形態とは異なっており、また、第２実施形態とも異なっている。
【００４３】
図６の（ａ）は、図５のリモコン装置３のみを示す図であり、図６の（ｂ）は、リモコン本体３ｍをホルダ３ｈから外した状態を示す図である。
まず、（ａ）において、リモコン本体３ｍには、制御回路３１によって開閉される補助スイッチ３３が設けられている。一方、ホルダ３ｈには、リモコン本体３ｍの電源電圧（直流電圧）で動作可能な、リレーコイル３６ｃが設けられている。リモコン本体３ｍの電源電路３０から、補助スイッチ３３、電極３５（上）、リレーコイル３６ｃ、電極３５（下）を介してリモコン本体３ｍ側のＧＮＤに電流が流れる回路が構成されている。電極３５は、接離可能な一対雌雄の構成となっており、相互に接触して通電可能となる。
【００４４】
ホルダ３ｈ側にはさらに、リレーコイル３６ｃの励磁で動作する主スイッチ３６ａと、メカニカル接点３４とが互いに並列に接続され、この並列体が、起動用迂回電路Ｌｂに介挿されている。メカニカル接点３４は、押しボタンスイッチのような構成となっており、リモコン本体３ｍをホルダ３ｈから外した状態では、突起部３４ａが突出して、接点は閉じているが、突起部３４ａが押し込まれると、接点が開く。
【００４５】
リモコン本体３ｍがホルダ３ｈに装着されると、図６の（ａ）に示すように、突起部３４ａがリモコン本体３ｍによって押し込まれ、メカニカル接点３４が開く。また、上下一対の電極３５が互いに相手方と接続され、補助スイッチ３３のオンによりリレーコイル３６ｃを励磁することができる回路が構成される。リレーコイル３６ｃが励磁されると、主スイッチ３６ａが閉じる。すなわち、リモコン装置３ｍのオン操作によって、主スイッチ３６ａを閉じ、起動用迂回電路Ｌｂに電流を流すことができる。従って、この状態では、第１実施形態と同様に、室内機２及び室外機１を、リモコン装置３のオン操作によって起動し、オフ操作でリモコン装置３のみを待機状態とすることができる。
【００４６】
一方、リモコン本体３ｍがホルダ３ｈから外されると、図６の（ｂ）に示すように、上下一対の電極３５が互いに相手方と遮断された状態となるので、リモコン本体３ｍのスイッチ３３は関係なくなり、メカニカル接点３４が閉じて、起動用迂回電路Ｌｂを短絡している、という状態になる。すなわち、図５における室内機２の端子台２ｔ１の２端子が短絡された状態となる。従って、室内機２の電源回路２０等は起動し、リモコン装置３からの指示を待つ待機状態となる。このとき、室外機２は一定の待機電力を消費する。なお、室内機２の制御回路２１は、リモコン装置３からオン操作があるまで、リレー接点２６を動作させない。従って、室外機１は待機状態にならず、電源ラインＬ１から遮断されたままである。リモコン装置３からオン操作があれば、リレー接点２６が反転し、室外機１が起動する。
【００４７】
上記第３実施形態に係る空気調和機によれば、リモコン本体３ｍを外した状態では室内機２の待機電力を無くすることはできない。しかしながら、起動用迂回電路Ｌｂをリモコン装置３に引き込んだ構成でありながら、リモコン本体３ｍを外した状態でも、確実に室内機２及び室外機１を動作させることができる。
【００４８】
また、第３実施形態の場合、ホルダ３ｈ側の主スイッチ３６ａと、リモコン本体３ｍ側の補助スイッチ３３との間で、電圧の絶縁が可能となる利点がある。すなわち、主スイッチ３６ａは商用交流の電源電圧が印加されるので、感電防止のため容易に触れ得ないように隠蔽する必要があるが、ホルダ３ｈ内に設けることにより、隠蔽を容易に実現することができる。一方、補助スイッチ３３は、低電圧仕様とすることができるので、より安全である。また、当該補助スイッチ３３は、低電圧・低電流の定格で足りるので、コンパクトであり、限られた筐体寸法のリモコン本体３ｍへの収容が容易である。
【００４９】
《その他》
なお、上記各実施形態において、リモコン装置３は、室内機２と無線通信するための通信部３２を備えている。
このようなリモコン装置３は、既設の有線通信によるリモコン装置に代えて使用することにより、不要になった有線通信用のケーブルを起動用迂回電路に転用することができる。但し、この場合には、起動用迂回電路としての電圧・電流に、ケーブルが耐え得ることが条件となることは、言うまでもない。このような転用が可能であれば、リモコン装置３と室内機２との間に新たにケーブルを設置しなくても、既存のケーブルを利用して容易に、室内機の待機電力を無くす空気調和機に取り替えることができる。
【００５０】
但し、リモコン装置３を無線通信タイプとするのは一例であり、有線通信タイプのものでも使用可能である。但し、その場合には、通信線の他に、起動用迂回電路が必要となるので、室内機２とリモコン装置３とをつなぐケーブルＣ２に予備線が無ければ、他のケーブルの新設が必要となる。
【００５１】
なお、上記各実施形態において、リモコン装置３のスイッチ３は、オン操作（空調運転開始操作）によって閉じるものとしたが、オン操作以外の運転操作によってスイッチ３を閉じるようにしてもよい。例えば、冷房／暖房／除湿等の運転切替操作を、オン操作より先に行った場合にもスイッチ３が閉じて室内機２の電源回路２０に給電されるようにすれば、室内機２は、オン操作前であっても、当該運転切替操作を受け付けることができる。また、さらに、運転操作とは別に、室内機２に電源供給するための所定のリモコン操作（例えば運転準備というボタンを設ける等。）を用意することも、可能ではある。
【００５２】
なお、上記各実施形態においてはいずれも室外機１から受電する構成としたが、室内機２から受電する構成も可能である。
また、上記第１実施形態（図１，図２）では、室内機２の通信回路２２に交流電圧を印加するためのリレー接点２５を設けた例を示したが、図７に示すように、当該リレー接点２５を省略することもできる。この場合、室外機１の通信回路１２から通信線Ｌｓへの電源重畳により、室内機２の通信回路２２に電源供給される。第２実施形態（図３）及び第３実施形態（図５）についても同様である。
【符号の説明】
【００５３】
１：室外機
２：室内機
３：リモコン装置
３ｍ：リモコン本体
３ｈ：ホルダ
１０：電源回路
２０：電源回路
２１：制御回路
３２：通信部
３３：スイッチ
３３：補助スイッチ
３６ａ：主スイッチ
Ｌ１，Ｌ２：電源ライン
Ｌｂ：起動用迂回電路
【図１】
2012026651.tif 000003
【図２】
2012026651.tif 000004
【図３】
2012026651.tif 000005
【図４】
2012026651.tif 000006
【図５】
2012026651.tif 000007
【図６】
2012026651.tif 000008
【図７】
2012026651.tif 000009